(57)【特許請求の範囲】
【請求項１】
物品を被覆し、緩衝保護を提供するために用いる吊り下げ式空気防振カバーであって、前記空気防振カバーが、
少なくとも１つの第一ヒートシール辺を含み、前記第一ヒートシール辺と垂直にヒートシール方式により形成された少なくとも１つの空気柱体線で複数の空気柱体に隔てられた第一緩衝壁と、
少なくとも１つの第二ヒートシール辺を含み、ヒートシール方式により前記第一ヒートシール辺に接着され、前記第二ヒートシール辺と垂直にヒートシール方式により形成された少なくとも１つの空気柱体線で複数の空気柱体に隔てられた第二緩衝壁と、
前記第一緩衝壁上に位置する少なくとも１つの第一節点と、
前記第二緩衝壁上に位置する少なくとも１つの第二節点と、
前記第一緩衝壁と前記第二緩衝壁を折り曲げて前記第一緩衝壁と前記第二緩衝壁の間を接続して形成された第三緩衝壁と、
前記第一緩衝壁と前記第二緩衝壁を折り曲げて前記第一緩衝壁と前記第二緩衝壁の間に形成された収容空間と、
片側がヒートシール方式により前記第一ヒートシール辺で前記第一緩衝壁に接着され、他方の側がヒートシール方式により前記第二ヒートシール辺で前記第二緩衝壁に接着された緩衝片と、
を含み、前記第一緩衝壁が前記第一節点に沿って折り曲げられ、前記第二緩衝壁が前記第二節点に沿って折り曲げられ、前記両側がヒートシールで接着された緩衝片がさらにヒートシール方式で前記第一緩衝壁及び前記第二緩衝壁の空気柱体線に沿って局部的にヒートシールで接着され、前記緩衝片が前記収容空間内に懸掛された状態として物品を被覆するために用い、前記緩衝片が前記物品の揺れを緩和すると共に、前記第一緩衝壁、第二緩衝壁及び第三緩衝壁で前記物品を緩衝保護するよう構成し、
前記緩衝壁が複数の空気柱体から構成され、さらに、前記第一緩衝壁の側辺部に位置し、気体を前記第一緩衝壁に充填するために用いる気体充填通路を含み、前記気体充填通路が前記空気柱体上の節点を介して前記第二、第三緩衝壁に通じることを特徴とする、
吊り下げ式空気防振カバー。
【請求項２】
前記緩衝片の空気柱体線に沿った中段部分にヒートシールを施さずに、前記緩衝片の底部を懸掛させた状態を形成したことを特徴とする、請求項１に記載の吊り下げ式空気防振カバー。
【請求項３】
前記気体充填通路と前記第一緩衝壁及び前記節点で接続された第二、第三緩衝壁を相通させるために用いる連続式逆止弁を含み、前記気体充填通路の気体が前記連続式逆止弁を経由して前記第一緩衝壁の各空気柱体に充填され、且つ、前記連続式逆止弁により気体充填口を封鎖し、前記第一緩衝壁及び前記節点で接続された第二、第三緩衝壁の各空気柱体内の気体が外部に漏れ出ないよう構成したことを特徴とする、請求項１に記載の吊り下げ式空気防振カバー。
【請求項４】
前記緩衝片を折り返して形成された収納空間を含むことを特徴とする、請求項１に記載の吊り下げ式空気防振カバー。
【請求項５】
前記緩衝片の両端に位置し、前記緩衝片を折り返した後接着を経て形成された２つの接合部を含むことを特徴とする、請求項１に記載の吊り下げ式空気防振カバー。
【請求項６】
前記第一緩衝壁がさらに前記第一ヒートシール辺に対して略垂直を呈する第一底部側辺を含み、前記第二緩衝壁がさらに前記第二ヒートシール辺に対して略垂直を呈する第二底部側辺を含み、ヒートシールにより前記第一底部側辺と前記第二底部側辺を接着し、前記収容空間を封鎖することを特徴とする、請求項１に記載の吊り下げ式空気防振カバー。
【請求項７】
前記緩衝片と、ヒートシールで接着された前記第一底部側辺と前記第二底部側辺箇所の間に一定の間隙を保持することを特徴とする、請求項６に記載の吊り下げ式空気防振カバー。
【請求項８】
前記第一緩衝壁がさらに前記第一ヒートシール辺に対して略垂直を呈する第一接合辺を含み、前記第二緩衝壁がさらに前記第二ヒートシール辺に対して略垂直を呈する第二接合辺を含み、前記緩衝片の両側辺部がそれぞれ前記第一接合辺と前記第二接合辺に密着されることを特徴とする、請求項１に記載の吊り下げ式空気防振カバー。
【請求項９】
前記収容空間の形状が前記ヒートシールで貼り合わせられる緩衝壁の高さに伴い変化することを特徴とする、請求項１に記載の吊り下げ式空気防振カバー。
【請求項１０】
前記緩衝片が前記第一緩衝壁の側辺部から局部的に延伸され、節点でヒートシールを経て折り曲げられて底部へ向かった後、前記緩衝片をヒートシールし、上部に前記緩衝壁、下部に前記緩衝片がある構造を形成したことを特徴とする、請求項１に記載の吊り下げ式空気防振カバー。
【請求項１１】
前記緩衝片が前記第二緩衝壁の側辺部から局部的に延伸され、節点でヒートシールを経て折り曲げられて底部へ向かった後、前記緩衝片をヒートシールし、上部に前記緩衝壁、下部に前記緩衝片がある構造を形成したことを特徴とする、請求項１に記載の吊り下げ式空気防振カバー。
【請求項１２】
前記緩衝片の材料がＰＥまたはＰＥ複合フィルム、プラスチック片材のいずれかであることを特徴とする、請求項１１に記載の吊り下げ式空気防振カバー。
【請求項１３】
前記緩衝壁が複数の連続式逆止弁を備えた緩衝空気柱体から構成され、前記空気柱体の形状は大きさを不均一にすることができ、その形状は直線形または非直線形とすることができることを特徴とする、請求項１に記載の吊り下げ式空気防振カバー。
【発明の詳細な説明】
【技術分野】
【０００１】
本発明は空気防振カバーに関し、特に吊り下げ式の空気防振カバーに関するものである。
【背景技術】
【０００２】
従来物品を緩衝包装する方法において、多くがビニール片上に複数個の突起状の小さな気泡を突設し、このビニール片で物品の外周を被覆して振動を吸収し緩衝効果を達しているが、小さな気泡の振動吸収能力には限りがあり、比較的大きな振動や衝撃の負荷に対しては振動を吸収して緩衝する効果を達することができないため、気体バッグを被覆用の緩衝材とする方法が考案されている。
【０００３】
気体バッグは気体を物品の緩衝媒介としており、これにより物品に緩衝保護の効果を提供するものであるが、物品の運搬過程において揺れや衝撃を避けることはできないため、ポリエチレン（ｐｏｌｙｅｔｈｙｌｅｎｅ、ＰＥ）材料から成る気体バッグは包装物品の鋭利な角や金属の角などにより破けてしまいやすく、小さな穴が開いてしまうだけで気体バッグ内の気体が漏れ出てしまい、包装物品に破損や傷が生じてしまいやすい。このような気体バッグには米国第４８５０９１２号特許「Ｃｏｎｔａｉｎｅｒ  ｆｏｒ  ｓｅａｌｉｎｇｌｙ  ｃｏｎｔａｉｎｉｎｇ  ａ  ｆｌｕｉｄ」、米国第５２６１４６６号特許「Ｐｒｏｃｅｓｓ  ｆｏｒ  ｃｏｎｔｉｎｕｏｕｓｌｙ  ｆｉｌｌｉｎｇ  ｆｌｕｉｄ  ｉｎｔｏ  ａ  ｐｌｕｒａｌｉｔｙ  ｏｆ  ｃｌｏｓｅｄ  ｂａｇｓ」及び日本国実開平５−９５８５１号特許「流体用密封袋」などがある。
【０００４】
ここから分かるように、気体バッグの構造をいかに改良し、気体バッグの気体の漏れによる緩衝保護機能喪失の問題を解決してより優れた緩衝振動吸収効果を提供するかが、本発明の発明人及び関連産業の技術領域に従事する者が改善を図る課題となっている。
【発明の開示】
【発明が解決しようとする課題】
【０００５】
前述に鑑みて、本発明の目的は、吊り下げ式空気防振カバーを提供することにある。
【課題を解決するための手段】
【０００６】
本発明の吊り下げ式空気防振カバーは、物品を被覆して緩衝保護を提供するために用いられる。この空気防振カバーは、少なくとも１つの第一ヒートシール辺を含む第一緩衝壁と、少なくとも１つの第二ヒートシール辺を含む第二緩衝壁と、第一緩衝壁上に位置する少なくとも１つの第一節点と、第二緩衝壁上に位置する少なくとも１つの第二節点と、前記第一緩衝壁と前記第二緩衝壁を折り曲げて前記第一緩衝壁と前記第二緩衝壁の間を接続して形成された第三緩衝壁と、第一緩衝壁と第二緩衝壁を折り曲げることで第一緩衝壁と第二緩衝壁の間に形成された収容空間と、片側がヒートシール方式により前記第一ヒートシール辺で第一緩衝壁に接着され、他方の側がヒートシール方式により前記第二ヒートシール辺で第二緩衝壁に接着された緩衝片を含み、前記第一緩衝壁が前記第一ヒートシール辺と垂直にヒートシール方式により形成された若干の空気柱体線で複数の空気柱体に隔てられ、前記第二緩衝壁が前記第二ヒートシール辺と垂直にヒートシール方式により形成された若干の空気柱体線で複数の空気柱体に隔てられ、前記第一緩衝壁が前記第一節点に沿って折り曲げられ、前記第二緩衝壁が前記第二節点に沿って折り曲げられると共に、前記両側がヒートシールで接着された緩衝片がさらにヒートシール方式で前記第一緩衝壁及び前記第二緩衝壁の空気柱体線に沿って局部的にヒートシールで接着され、前記緩衝片の空気柱体線に沿った中段部分はヒートシールで接着されないものとし、前記緩衝片の底部が懸掛された状態として、前記緩衝片を前記収容空間内に懸掛し物品を被覆するために用い、前記物品の揺れを緩和すると共に、前記第一緩衝壁、第二緩衝壁及び第三緩衝壁で前記物品を緩衝保護する。
【０００７】
すなわち、本願の第１発明は、物品を被覆し、緩衝保護を提供するために用いる吊り下げ式空気防振カバーであって、前記空気防振カバーが、少なくとも１つの第一ヒートシール辺を含み、前記第一ヒートシール辺と垂直にヒートシール方式により形成された若干の空気柱体線で複数の空気柱体に隔てられた第一緩衝壁と、少なくとも１つの第二ヒートシール辺を含み、ヒートシール方式により前記第一ヒートシール辺に接着され、前記第二ヒートシール辺と垂直にヒートシール方式により形成された若干の空気柱体線で複数の空気柱体に隔てられた第二緩衝壁と、前記第一緩衝壁上に位置する少なくとも１つの第一節点と、前記第二緩衝壁上に位置する少なくとも１つの第二節点と、前記第一緩衝壁と前記第二緩衝壁を折り曲げて前記第一緩衝壁と前記第二緩衝壁の間を接続して形成された第三緩衝壁と、前記第一緩衝壁と前記第二緩衝壁を折り曲げて前記第一緩衝壁と前記第二緩衝壁の間に形成された収容空間と、片側がヒートシール方式により前記第一ヒートシール辺で前記第一緩衝壁に接着され、他方の側がヒートシール方式により前記第二ヒートシール辺で前記第二緩衝壁に接着された緩衝片と、を含み、前記第一緩衝壁が前記第一節点に沿って折り曲げられ、前記第二緩衝壁が前記第二節点に沿って折り曲げられ、前記両側がヒートシールで接着された緩衝片がさらにヒートシール方式で前記第一緩衝壁及び前記第二緩衝壁の空気柱体線に沿って局部的にヒートシールで接着され、前記緩衝片が前記収容空間内に懸掛された状態として物品を被覆するために用い、前記緩衝片が前記物品の揺れを緩和すると共に、前記第一緩衝壁、第二緩衝壁及び第三緩衝壁で前記物品を緩衝保護するよう構成し、前記緩衝壁が複数の空気柱体から構成され、さらに、前記第一緩衝壁の側辺部に位置し、気体を前記第一緩衝壁に充填するために用いる気体充填通路を含み、前記気体充填通路が前記空気柱体上の節点を介して前記第二、第三緩衝壁に通じることを特徴とする吊り下げ式空気防振カバーを提供する。
【０００８】
本願の第２発明は、前記緩衝片の空気柱体線に沿った中段部分にヒートシールを施さずに、前記緩衝片の底部を懸掛させた状態を形成したことを特徴とする、前記第１発明の吊り下げ式空気防振カバーを提供する。
【０００９】
本願の第３発明は、前記気体充填通路と前記第一緩衝壁及び前記節点で接続された第二、第三緩衝壁を相通させるために用いる連続式逆止弁を含み、前記気体充填通路の気体が前記連続式逆止弁を経由して前記第一緩衝壁の各空気柱体に充填され、且つ、前記連続式逆止弁により気体充填口を封鎖し、前記第一緩衝壁及び前記節点で接続された第二、第三緩衝壁の各空気柱体内の気体が外部に漏れ出ないよう構成したことを特徴とする、前記第１発明の吊り下げ式空気防振カバーを提供する。
【００１０】
本願の第４発明は、前記緩衝片を折り返して形成された収納空間を含むことを特徴とする、前記第１発明の吊り下げ式空気防振カバーを提供する。
【００１１】
本願の第５発明は、前記緩衝片の両端に位置し、前記緩衝片を折り返した後接着を経て形成された２つの接合部を含むことを特徴とする、前記第１発明の吊り下げ式空気防振カバーを提供する。
【００１２】
本願の第６発明は、前記第一緩衝壁がさらに前記第一ヒートシール辺に対して略垂直を呈する第一底部側辺を含み、前記第二緩衝壁がさらに前記第二ヒートシール辺に対して略垂直を呈する第二底部側辺を含み、ヒートシールにより前記第一底部側辺と前記第二底部側辺を接着し、前記収容空間を封鎖することを特徴とする、前記第１発明の吊り下げ式空気防振カバーを提供する。
【００１３】
本願の第７発明は、前記緩衝片と、ヒートシールで接着された前記第一底部側辺と前記第二底部側辺箇所の間に一定の間隙を保持することを特徴とする、前記第６発明の吊り下げ式空気防振カバーを提供する。
【００１４】
本願の第８発明は、前記第一緩衝壁がさらに前記第一ヒートシール辺に対して略垂直を呈する第一接合辺を含み、前記第二緩衝壁がさらに前記第二ヒートシール辺に対して略垂直を呈する第二接合辺を含み、前記緩衝片の両側辺部がそれぞれ前記第一接合辺と前記第二接合辺に密着されることを特徴とする、前記第１発明の吊り下げ式空気防振カバーを提供する。
【００１５】
本願の第９発明は、前記収容空間の形状が前記ヒートシールで貼り合わせられる緩衝壁の高さに伴い変化することを特徴とする、前記第１発明の吊り下げ式空気防振カバーを提供する。
【００１６】
本願の第１０発明は、前記緩衝片が前記第一緩衝壁の側辺部から局部的に延伸され、節点でヒートシールを経て折り曲げられて底部へ向かった後、前記緩衝片をヒートシールし、上部に前記緩衝壁、下部に前記緩衝片がある構造を形成したことを特徴とする、前記第１発明の吊り下げ式空気防振カバーを提供する。
【００１７】
本願の第１１発明は、前記緩衝片が前記第二緩衝壁の側辺部から局部的に延伸され、節点でヒートシールを経て折り曲げられて底部へ向かった後、前記緩衝片をヒートシールし、上部に前記緩衝壁、下部に前記緩衝片がある構造を形成したことを特徴とする、前記第１発明の吊り下げ式空気防振カバーを提供する。
【００１８】
本願の第１２発明は、前記緩衝片の材料がＰＥまたはＰＥ複合フィルム、プラスチック片材のいずれかであることを特徴とする、前記第１１発明の吊り下げ式空気防振カバーを提供する。
【００１９】
本願の第１３発明は、前記緩衝壁が複数の連続式逆止弁を備えた緩衝空気柱体から構成され、前記空気柱体の形状は大きさを不均一にすることができ、その形状は直線形または非直線形とすることができることを特徴とする、前記第１発明の吊り下げ式空気防振カバーを提供する。
【発明の効果】
【００２０】
本発明を用いて物品を被覆すると、物品に緩衝保護効果を提供することができ、物品が運送過程で揺れ動いても、緩衝片が物品の揺れを緩和し、且つ、第一緩衝壁と第二緩衝壁が物品を緩衝保護するため、物品に二段階の緩衝と振動吸収効果を提供することができる。このほか、本発明は物品が直接第一緩衝壁と第二緩衝壁、第三緩衝壁に当たらないようにすることで、物品により第一緩衝壁と第二緩衝壁、第三緩衝壁が突き破かれて気体が漏れ出てしまい、緩衝保護効果が失われるのを防ぐことができる。
【発明を実施するための最良の形態】
【００２１】
本発明の最良の実施例及びその効果について、以下、図面を組み合わせて説明する。
【実施例】
【００２２】
図１、図２、図３及び図４Ａに本発明の実施例１を示す。図１に気体充填前の平面図、図２に気体充填後の断面図、図３に気体充填後の立体図、図４Ａに物品を被覆した状態の断面図（一）をそれぞれ示す。
【００２３】
吊り下げ式空気防振カバーは、柱状片２と緩衝片５を含む。柱状片２は複数の空気柱体２０から構成され、複数の空気柱体２０上に複数の折り曲げ点２０ａが設けられ、折り曲げ点２０ａに沿って複数の空気柱体２０を折り曲げて第一緩衝壁２１と第二緩衝壁２２が形成される。そのうち、第一緩衝壁２１と第二緩衝壁２２は相通しており、且つ、第一緩衝壁２１は片側に第一ヒートシール辺２１ａが設けられ、且つ、複数の第一節点２１ｂが設けられると共に、第二緩衝壁２２は片側に第二ヒートシール辺２２ａが設けられ、且つ、複数の第二節点２２ｂが設けられる。第一緩衝壁２１は第一節点２１ｂに沿って折り曲げられ、第二緩衝壁２２は第二節点２２ｂに沿って折り曲げられる。さらにヒートシール方式で第一ヒートシール辺２１ａと第二ヒートシール辺２２ａが接着され、第一緩衝壁２１と第二緩衝壁２２の間に収容空間６が形成される。そのうち、収容空間６は概ね四辺形を呈し、その形状は第一節点２１ｂ、第二節点２２ｂの位置、数量の違いにより若干の差異があり、且つ、第一緩衝壁２１と第二緩衝壁２２の折り曲げ角度によって収容空間６の形状を変化させることができ、収容空間６の形状は第一緩衝壁２１を第一節点２１ｂに沿って折り曲げる程度により、または第二緩衝壁２２を第二節点２２ｂに沿って折り曲げる程度により変化させることができる。
【００２４】
前記柱状片２は２枚の外膜２ａと２ｂをヒートシール方式で接着して形成され、外膜２ａと２ｂはポリエチレン（ｐｏｌｙｅｔｈｙｌｅｎｅ、ＰＥ）から成るものとすることができる。
【００２５】
緩衝片５は軟質材料から成り、例えばポリ塩化ビニール（Ｐｏｌｙｖｉｎｙｌｃｈｌｏｒｉｄｅ、ＰＶＣ）、ポリプロピレン（Ｐｏｌｙｐｒｏｐｙｌｅｎｅ、ＰＰ）、発泡ポリエチレン（ＥＰＥ）、発泡ポリプロピレン（ＥＰＰ）、布材料、スポンジ、ポリエチレン（ｐｏｌｙｅｔｈｙｌｅｎｅ、ＰＥ）から成る小さな顆粒状の気泡材等の材質や、ダンボール紙などの紙類材料とすることができる。緩衝片５の片側をヒートシール方式で接着してヒートシール点５ａを形成し、第一緩衝壁２１に固定すると共に、他方の側をヒートシール方式で接着してヒートシール点５ｂを形成し、第二緩衝壁２２に固定して、緩衝片５を収容空間６内に懸掛し、概ね吊り下げ状を呈するようにし、且つ、中央箇所に収納空間５０を形成し、物品１００を被覆するために用いる。
【００２６】
本発明はさらに気体充填通路９を含み、これはヒートシール方式で２枚の外膜２ａと２ｂを接着して形成した気体を流通させるための空間であり、第一緩衝壁２１の側辺部に位置し、気体を第一緩衝壁２１と第二緩衝壁２２に充填するために用いられ、第一緩衝壁２１と第二緩衝壁２２に気体を充填して膨張させ、振動を吸収し緩衝効果を形成する。
【００２７】
さらに、本発明は連続式逆止弁４を含むことができ、これはヒートシール方式で２枚の内膜１ａと１ｂを接着して形成され、気体充填通路９と第一緩衝壁２１を相通させるために用いられ、気体充填通路９の気体が連続式逆止弁４を経由して第一緩衝壁２１に充填され、且つ、連続式逆止弁４により第一緩衝壁２１を封鎖し、第一緩衝壁２１内の気体が漏れ出ないようにする。２枚の内膜１ａと１ｂの間に耐熱材料１ｃを塗布し、ヒートシール方式を経ても２枚の内膜１ａと１ｂが相互に接着されないようにして複数の気体入口２ｅを形成し、且つ、各気体入口２ｅが各空気柱体２０に対応するようにする。このほか、各気体入口２ｅはすべて気体通路１４に接続され、そのうち、気体通路１４は２枚の内膜１ａと１ｂの間に耐熱材料１ｃを塗布した後、ヒートシール方式で２枚の内膜１ａと１ｂを接着し、２枚の内膜１ａと１ｂの間に形成される。気体充填口９ａに進入した気体が気体充填通路９を膨張させた後、２枚の外膜２ａと２ｂが外側に向かって開かれ、気体入口２ｅが開き、気体が気体通路１４に沿って空気柱体２０に進入し、気体を充填して膨張させることができる。空気柱体２０に気体を充填して膨張させた後、空気柱体２０の気体の内部圧力が２枚の内膜１ａと１ｂを圧迫し、外膜２ａまたは２ｂに緊密に押し当て（構造の違いにより、２枚の内膜１ａと１ｂは外膜２ａまたは２ｂに貼り付かせず、空気柱体２０中に懸掛するようにすることもできる）気体通路１４を覆って空気柱体２０を封鎖し、空気柱体２０内の気体が外部に漏れ出ないようにして空気を封止する効果を達成することができる。
【００２８】
本発明で開示された構造に基づき、第一緩衝壁２１はさらに第一ヒートシール辺２１ａに対し略垂直を呈して設けられた第一接合辺２１ｃを含み、第二緩衝壁２２はさらに第二ヒートシール辺２２ａに対し略垂直を呈して設けられた第二接合辺２２ｃを含み、緩衝片５の両側辺部はそれぞれヒートシール方式により接着され、第一接合辺２１ｃと第二接合辺２２ｃに密着される。このほか、第一緩衝壁２１はさらに第一ヒートシール辺２１ａに対し略垂直を呈して設けられた第一底部側辺２１ｄを含み、第二緩衝壁２２はさらに第二ヒートシール辺２２ａに対し略垂直を呈して設けられた第二底部側辺２２ｄを含み、ヒートシールにより第一底部側辺２１ｄと第二底部側辺２２ｄが接着され、収容空間６が封鎖されると共に、緩衝片５とヒートシールで接着された第一底部側辺２１ｄと第二底部側辺２２ｄ箇所の間には一定の間隙が保持され、緩衝片５が直接第一底部側辺２１ｄと第二底部側辺２２ｄ付近の空気柱体２０に接触しないように構成される。
【００２９】
図４Ａ、図４Ｂ、図４Ｃに本発明の実施例１を示す。図４Ａに物品を被覆した状態の断面図（一）、図４Ｂに物品を被覆した状態の断面図（二）、図４Ｃに物品を被覆した状態の断面図（三）をそれぞれ示す。
本発明の吊り下げ式空気防振カバーで物品１００を被覆すると、物品１００に緩衝保護の効果を提供することができ、緩衝片５は物品１００の圧力を受けて下方向に移動するが、第一底部側辺２１ｄと第二底部側辺２２ｄの空気柱体２０付近に間隙が保持されているため相互に接触することがない。物品１００が運送過程で揺れ動いても、緩衝片が物品１００の揺動を緩和し、且つ、左右両側の第一緩衝壁２１と第二緩衝壁２２が物品１００に緩衝保護の効果を提供することができる。物品に激しい揺れが発生し、緩衝片５が力を受けて下方向に押圧された場合、第一緩衝壁２１と第二緩衝壁２２底部の空気柱体２０が物品１００を緩衝保護し、これにより物品１００に二段階の緩衝と振動吸収効果を提供することができる。このほか、本発明は物品１００が直接第一緩衝壁２１と第二緩衝壁２２に当たらないようにすることで、物品が第一緩衝壁２１と第二緩衝壁２２を突き破り、気体が漏れ出てしまい、緩衝保護効果が失われるのを防止する。
【００３０】
図５に本発明の実施例２で物品を被覆した状態の断面図を示す。
第一緩衝壁２１の第一底部側辺２１ｄと第二緩衝壁２２の第二底部側辺２２ｄはヒートシール接着を施さなくともよく、収容空間６を開放式の空間として形成し、緩衝片５で物品１００を被覆すると、力を受けて下方向に押圧されて物品１００の揺動を緩和し、これにより緩衝保護の効果を達することができる。
【００３１】
図６に本発明の実施例２で物品を被覆した状態の上面図を示す。
本発明はさらに緩衝片５の両端に位置する２つの接合部５１を含み、緩衝片５を半分に折り合わせた後、接着して形成される。物品が激しく揺れ動き、緩衝片５が左右に揺れた場合、まず緩衝片５が物品１００の揺動を緩和し、続いて第一緩衝壁２１と第二緩衝壁２２が物品１００を緩衝保護し、これにより物品１００に二段階の緩衝と振動吸収効果を提供する。このほか、本発明は物品１００が直接第一緩衝壁２１と第二緩衝壁２２に当たらないようにし、物品が第一緩衝壁２１と第二緩衝壁２２を突き破り気体が漏れ出てしまい、緩衝保護効果が失われるのを防止することができる。
【００３２】
図７及び図８に本発明の実施例３を示す。図７に気体充填前の平面図、図８に物品を被覆した状態の上面図をそれぞれ示す。
第一緩衝壁２１は複数組の複数の第一節点２１ｂが設けられ、第二緩衝壁２２は複数組の複数の第二節点２２ｂが設けられ、第一緩衝壁２１が第一節点２１ｂに沿って折り曲げられ、第二緩衝壁２２が第二節点２２ｂに沿って折り曲げられて、第一緩衝壁２１と第二緩衝壁２２の間に収容空間６が形成される。そのうち、この収容空間６は概ね六角形を呈し、その形状は第一節点２１ｂ、第二節点２２ｂの位置、数量の違いにより若干の差異があり、且つ、第一緩衝壁２１と第二緩衝壁２２の折り曲げ角度によって収容空間６の形状を変化させることができる。
【００３３】
本発明で開示された構造に基づき、緩衝片５はヒートシール方式で第一緩衝壁２１と第二緩衝壁２２に接着して固定されているが、また第一緩衝壁２１または第二緩衝壁２２の側辺部を延伸して形成することもできる。関連技術を熟知する人物であれば本発明の開示に基づきその他同等効果の構造で修飾または変化を行うことが可能である。
【００３４】
本発明で開示された実施例に基づき、上述の説明において列挙された内容は、柱状片２を折り曲げて第一緩衝壁２１と第二緩衝壁２２としたものを例としているが、本発明はこの構造のみに限られず、第一緩衝壁２１と第二緩衝壁２２はそれぞれ独立した柱状片２とし、且つそれぞれに気体充填通路９と連続式逆止弁４を設けることもできることをここで特に説明しておく。
【００３５】
図９、図１０、図１１、図１２及び図１３に本発明の実施例４を示す。図９に空気充填前の平面図、図１０に空気充填後の立体図、図１１に空気充填後の側面図、図１２に物品を被覆する前の断面図、図１３に物品を被覆した状態の断面図をそれぞれ示す。
前記吊り下げ式空気防振カバーの柱状片２は複数の空気柱体２０から構成され、複数の空気柱体２０上に複数の第一節点２１ｂと第二節点２２ｂが設けられ、前記第一節点２１ｂと第二節点２２ｂに沿って複数の空気柱体２０を折り曲げて第一緩衝壁２１と第二緩衝壁２２、第三緩衝壁２３が形成される。そのうち、第一緩衝壁２１と第二緩衝壁２２は第三緩衝壁２３を介して相通しており、且つ、第一緩衝壁２１は片側に第一ヒートシール辺２１ａが設けられ、且つ、第二緩衝壁２２は片側に第二ヒートシール辺２２ａが設けられる。第一緩衝壁２１は第一節点２１ｂに沿って折り曲げられ、第二緩衝壁２２は第二節点２２ｂに沿って折り曲げられる。さらにヒートシール方式で第一ヒートシール辺２１ａと第二ヒートシール辺２２ａが接着され、第一緩衝壁２１と第二緩衝壁２２の間に収容空間６が形成される。そのうち、収容空間６は概ね四辺形を呈し、その形状は第一節点２１ｂ、第二節点２２ｂの位置、数量の違いにより若干の差異があり、且つ、第一緩衝壁２１と第二緩衝壁２２の折り曲げ角度によって収容空間６の形状を変化させることができ、収容空間６の形状は第一緩衝壁２１を第一節点２１ｂに沿って折り曲げる程度により、または第二緩衝壁２２を第二節点２２ｂに沿って折り曲げる程度により変化させることができる。
【００３６】
実施例４において、緩衝片５の片側をヒートシール方式により第一ヒートシール辺２１ａで前記第一緩衝壁２１に接着し、他方の側をヒートシール方式により第二ヒートシール辺２２ａで前記第二緩衝壁２２に接着してさらに、両側をヒートシールした緩衝片５をヒートシール方式で第一緩衝壁２１及び第二緩衝壁２２の空気柱体線２０ｂに沿って局部的にヒートシールし、緩衝片５を収容空間６内に懸掛し、概ね吊り下げ状を呈するようにし、且つ、中央箇所に収納空間５０を形成し、物品１００を被覆するために用い、前記第一緩衝壁２１、第二緩衝壁緩壁２２及び第三緩衝壁２３で前記物品に緩衝保護を提供する。
【００３７】
図１４及び図１５に参考例を示す。図１４に空気充填後の側面図、図１５に物品を被覆した状態の断面図をそれぞれ示す。
この実施例の吊り下げ式空気防振カバーは柱状片２、緩衝片５を含む。
緩衝片５の両側辺はそれぞれヒートシール方式により接着され、局部的に第一底部側辺２１ｄ及び第二底部側辺２２ｄに貼り合わせられ、前記緩衝片５の底部が懸掛された状態を形成する。
【００３８】
即ち、前記吊り下げ式空気防振カバーで保護する物品１００を被覆すると、その側面は両側の第一緩衝壁２１及び第二緩衝壁２２の空気柱体２０及び収納空間５０の二重の保護を受ける。底部は第三緩衝壁２３の空気柱体２０の保護を受け、且つ緩衝片５が物品１００を支え、第三緩衝壁２３の空気柱体２０間に抜け落ちないようにすることができる。
【００３９】
本参考例と前記実施例４の最大の違いは、緩衝片５の大きさが比較的小さいこととヒートシール位置がより低いことの２つの条件であり、前者は材料コストを効果的に節約でき、後者はヒートシール位置を変えることで同様に底部を懸掛させた吊り下げ構造を達成することができる。
【００４０】
前記実施例４において配置した物品１００の両側及び底部はそれぞれ緩衝片５と接触するが、本参考例において配置した物品１００の両側はそれぞれ第一緩衝壁２１及び第二緩衝壁２２の空気柱体２０と接触し、底部は緩衝片５と接触する。
【００４１】
前記柱状片２は２枚の外膜２ａと２ｂ（実施例１の説明通り）をヒートシール方式で接着して形成され、外膜２ａと２ｂはポリエチレン（ｐｏｌｙｅｔｈｙｌｅｎｅ、ＰＥ）から成るものとすることができる。
【００４２】
緩衝片５は軟質材料から成り、例えばポリ塩化ビニール（Ｐｏｌｙｖｉｎｙｌｃｈｌｏｒｉｄｅ、ＰＶＣ）、ポリプロピレン（Ｐｏｌｙｐｒｏｐｙｌｅｎｅ、ＰＰ）、発泡ポリエチレン（ＥＰＥ）、発泡ポリプロピレン（ＥＰＰ）、布材料、スポンジ、ポリエチレン（ｐｏｌｙｅｔｈｙｌｅｎｅ、ＰＥ）から成る小さな顆粒状の気泡材等の材質や、ダンボール紙などの紙類材料とすることができる。
【００４３】
本発明はさらに気体充填通路９を含み、これはヒートシール方式で２枚の外膜２ａと２ｂ（実施例１の説明の通り）を接着して形成した気体を流通させるための空間であり、第一緩衝壁２１の側辺部に位置し、気体充填口９ａに進入した気体が気体充填通路９を膨張させた後、２枚の外膜２ａと２ｂが外側に向かって開かれ、気体が気体通路１４に沿って空気柱体２０に進入し、気体を充填して膨張させ、第一緩衝壁２１と第二緩衝壁２２、第三緩衝壁２３に気体を充填するために用いられ、第一緩衝壁２１と第二緩衝壁２２、第三緩衝壁２３に気体を充填して膨張させ、振動を吸収し緩衝効果を形成する。
【００４４】
本発明で開示された構造に基づき、実施例４において、緩衝片５は両側辺がそれぞれヒートシール方式で接着され、局部的に各前記空気柱体線２０ｂに貼り合わせられ、且つ、前記緩衝片５の空気柱体線２０ｂに沿った中段部分はヒートシールを施さずに、前記緩衝片５の底部を懸掛させた状態を形成する。このほか、緩衝片５との間に収納空間６が間隙を形成し、緩衝片５が直接第三緩衝壁２３付近の空気柱体２０に接触しないように構成される。気体の充填が完了したときの圧力が高い状態では、緩衝片５が局部的に第一緩衝壁２１及び第二緩衝壁２２の空気柱体線２０ｂ上に貼り合わせられているため、側辺部が緊密に第一緩衝壁２１及び第二緩衝壁２２の空気柱体２０上に密着し、緩衝片５が形成する収納空間５０により優れた被覆性を持たせることができる。
【００４５】
つまり、前記吊り下げ式空気防振カバーで保護する物品１００を被覆すると、その側面は両側の第一緩衝壁２１及び第二緩衝壁２２の空気柱体２０及び収納空間５０の二重の保護を受け、底部は収容空間６及び第三緩衝壁２３の空気柱体２０の二重の保護を受ける。前記物品１００が緩衝片５の収納空間５０に配置されると、前記緩衝片５の圧縮牽引作用を受けて、第一緩衝壁２１及び第二緩衝壁２２の上部が内側に向かって傾斜し、前記物品１００を挟んで固定してその位置決めをより堅牢にする。
【００４６】
本発明の技術内容はすでに最良の実施例に基づき上述のように開示したが、上述の説明は本発明を限定するために用いるものではなく、関連技術を熟知する人物が本発明の要旨を逸脱せずに行なった変更や修飾はすべて本発明の範疇の中に含まれるものとし、このため、本発明の保護範囲は特許請求の範囲により定義されるものに準拠する。
【図面の簡単な説明】
【００４７】
【図１】本発明の実施例１の気体充填前の平面図である。
【図２】本発明の実施例１の気体充填後の断面図である。
【図３】本発明の実施例１の気体充填後の立体図である。
【図４Ａ】本発明の実施例１で物品を被覆した状態の断面図（一）である。
【図４Ｂ】本発明の実施例１で物品を被覆した状態の断面図（二）である。
【図４Ｃ】本発明の実施例１で物品を被覆した状態の断面図（三）である。
【図５】本発明の実施例２で物品を被覆した状態の断面図である。
【図６】本発明の実施例２で物品を被覆した状態の上面図である。
【図７】本発明の実施例３の気体充填前の平面図である。
【図８】本発明の実施例３で物品を被覆した状態の上面図である。
【図９】本発明の実施例４の気体充填前の平面図である。
【図１０】本発明の実施例４の気体充填後の立体図である。
【図１１】本発明の実施例４の気体充填後の側面図である。
【図１２】本発明の実施例４の物品を被覆していない状態の断面図である。
【図１３】本発明の実施例４の物品を被覆した状態の断面図である。
【図１４】参考例の気体充填後の側面図である。
【図１５】参考例の物品を被覆した状態の断面図である。
【符号の説明】
【００４８】
１ａ／１ｂ  内膜
１ｃ        耐熱材料
１４        気体通路
２ａ／２ｂ  外膜
２ｅ        気体入口
２          柱状片
２０        空気柱体
２０ａ      折り曲げ点
２０ｂ      空気柱体線
２１        第一緩衝壁
２１ａ      第一ヒートシール辺
２１ｂ      第一節点
２１ｃ      第一接合辺
２１ｄ      第一底部側辺
２２        第二緩衝壁
２２ａ      第二ヒートシール辺
２２ｂ      第二節点
２２ｃ      第二接合辺
２２ｄ      第二底部側辺
２３        第三緩衝壁
４          連続式逆止弁
５          緩衝片
５ａ／５ｂ  ヒートシール点
５０        収納空間
５１        接合部
６          収容空間
９          気体充填通路
９ａ        気体充填口
１００      物品
【図１】
0004686556.tif 000002
【図２】
0004686556.tif 000003
【図３】
0004686556.tif 000004
【図４Ａ】
0004686556.tif 000005
【図４Ｂ】
0004686556.tif 000006
【図４Ｃ】
0004686556.tif 000007
【図５】
0004686556.tif 000008
【図６】
0004686556.tif 000009
【図７】
0004686556.tif 000010
【図８】
0004686556.tif 000011
【図９】
0004686556.tif 000012
【図１０】
0004686556.tif 000013
【図１１】
0004686556.tif 000014
【図１２】
0004686556.tif 000015
【図１３】
0004686556.tif 000016
【図１４】
0004686556.tif 000017
【図１５】
0004686556.tif 000018